(57)【特許請求の範囲】
【請求項１】
方形の板状体の上面に熱媒循環用パイプを装着する溝を形成し、辺の中央部に切欠部を設け、切欠部の端縁から内側に低段部を構成すると共に、熱媒循環用パイプの端部を、少なくとも一つの切欠部に配置して、この切欠部に至る溝には、低段部に対応して傾斜部を形成し、熱媒循環用パイプの端部側を傾斜部を経て接合板の下側から空間部に至るようにしたパネルユニットを構成し、このパネルユニットの複数を縦横に隣接させて所望の広さに構成すると共に、向かい合った切欠部により空間部を構成するものとし、この空間部の周囲に形成される低段部に、その深さと同じ厚さの接合板を嵌合し、接合板を各パネルユニットに固定することにより隣接するパネルユニットを接合することを特徴とする床暖房用パネル
【請求項２】
切欠部は、直角二等辺三角形状に構成したことを特徴とする請求項１記載の床暖房用パネル
【請求項３】
切欠部は、長方形状に構成したことを特徴とする請求項１記載の床暖房用パネル
【請求項４】
隣接するパネルユニットの向かい合った切欠部により構成される空間部において、熱媒循環用パイプに熱媒を供給するための配管接続を行う構成としたことを特徴とする請求項１記載の床暖房用パネル
【請求項５】
パネルユニットは、支持脚を備え、所定の高さに支持可能な構成としたことを特徴とする請求項１記載の床暖房用パネル
【発明の詳細な説明】
【０００１】
【発明の属する技術分野】
本発明は床暖房用パネルに関するものである。
【０００２】
【従来の技術】
近来、熱媒循環用パイプを設けたパネルユニットの複数を縦横に隣接させて所望の広さの床暖房用パネルを構成することが提案されている。
例えば、本出願人の先の出願、特願平８−２４２８５５号の願書に添付した明細書及び図面に示すものでは、図９、図１０に示すように、各パネルユニットは正方形の板状体ａの４隅に切欠部ｂを設け、切欠部ｂの近傍下側に支持脚ｃ（図８では◎で位置を表示）を設置すると共に、熱媒循環用パイプｄを蛇行させて１経路構成し、この熱媒循環用パイプｄの両端部を一隅の切欠部ｂに位置させた構成である。このパネルユニットｅでは、切欠部ｂの形状は、隅を直角に切り欠いた正方形の形状としている。
【０００３】
この構成において、各パネルユニットｅを、熱媒循環用パイプｄの両端部が位置する夫々の一隅を対向させるように４つを１群として隣接すると、それらの切欠部ｂにより、切欠部の４倍の大きさの正方形状の空間部ｆが構成され、この空間部ｆにおいて、夫々の熱媒循環用パイプｄの端部を熱源装置に連なる熱媒往き管、熱媒還り管のヘッダーｈ等に接続して、温水を循環供給させるようにしたり、隣接のパネルユニットｅを帯板状金具等の接続用部材ｇにより接合する。
この後、空間部ｆを塞ぐために、パネルユニットｅの、少なくとも上側に捨貼合板ｉを積層し、その上側にフローリング床等の仕上床材ｊを積層して床を構成している。
【０００４】
【発明が解決しようとする課題】
捨貼合板ｉは空間部ｆの上側にのみ対応して積層するのではなく、隣接したパネルユニットＵの全体の上側に積層するので、空間部以外の部分では、板が重複する状態となる場合がある。
このため熱媒循環用パイプｄから床の上面までの伝熱距離が長くなり、フローリング床等の仕上床材ｊの構成や厚みによっては、十分な熱性能が得られなくなる他、コストアップの要因ともなっている。
本発明では、このような課題を解決することを目的とするものである。
【０００５】
【課題を解決するための手段】
上述した課題を解決するために、本発明では、方形の板状体の上面に熱媒循環用パイプを装着する溝を形成し、辺の中央部に切欠部を設け、切欠部の端縁から内側に低段部を構成すると共に、熱媒循環用パイプの端部を、少なくとも一つの切欠部に配置して、この切欠部に至る溝には、低段部に対応して傾斜部を形成し、熱媒循環用パイプの端部側を傾斜部を経て接合板の下側から空間部に至るようにしたパネルユニットを構成し、このパネルユニットの複数を縦横に隣接させて所望の広さに構成すると共に、向かい合った切欠部により空間部を構成するものとし、この空間部の周囲に形成される低段部に、その深さと同じ厚さの接合板を嵌合し、接合板を各パネルユニットに固定することにより隣接するパネルユニットを接合する床暖房用パネルを提案する。
【０００６】
本発明では、以上の構成において、切欠部は、直角二等辺三角形状に構成したり、または長方形状に構成することができる。
【０００７】
また本発明では、上記の構成において、隣接するパネルユニットの向かい合った切欠部により構成される空間部において、熱媒循環用パイプに熱媒を供給するための配管接続を行う構成とすることを提案する。
【０００８】
また本発明では、パネルユニットは、支持脚を備え、所定の高さに支持可能な構成とすることを提案する。
【０００９】
以上の本発明によれば、接合板を空間部の周囲の低段部に嵌合して各パネルユニットに固定すれば、接合板は、空間部を塞ぐと同時に、辺で隣接した２つのパネルユニットを接合することができ、更に、各パネルユニットの上面と接合板の上面を同一平面上とすることができる。
従って、捨貼合板を積層せずに仕上床板を積層することができる。
【００１０】
【発明の実施の形態】
次に本発明の実施の形態を図を参照して説明する。
まず、図１〜図５は本発明の第１の実施の形態を示すもので、図１はパネルユニットＵの平面図であり、図２，図３は図１の夫々Ａ−Ａ線，Ｂ−Ｂ線断面図である。また、図４は図１のパネルユニットＵの複数を縦横に隣接させて構成する床暖房用パネルの一部を模式的に示す平面図、図５は図４のＣ−Ｃ線断面図である。
符号１は板状体であり、この板状体１は正方形であって、夫々の辺の中央部に長方形状の切欠部２（２ａ，２ｂ，２ｃ，２ｄ）を設けており、この切欠部２の端縁から内側に低段部３を構成している。この長方形状は後述するように、隣接のパネルユニットのものと向かい合わせに当接した場合に正方形状となる形状である。
【００１１】
板状体１には１経路の熱媒循環用パイプ４を蛇行させて構成しており、その両側の端部４ｅを切欠部２ａに配置している。図２に示すように熱媒循環用パイプ４は板状体１の上面に形成した溝５に装着することにより板状体１の上面側に支持している。そして熱媒循環用パイプ４の端部は、後述するような接続用部材及び供給用部材に接続可能とするように切欠部２の面から外側に適宜長突出させて接続が容易な構成としている。
【００１２】
熱媒循環用パイプ４の経路の数は、この実施の形態の１経路とする他、後述するように、複数経路設けることができ、各経路の熱媒循環用パイプ４の端部４ｅを配置する切欠部２も適宜に構成することができる。
【００１３】
板状体１は、床の荷重を支えることができる材質であれば、木質合板、パーチクルボード、発泡プラスチックス板又はこれらの複合体等の適宜の材質のものを適用することができる。
【００１４】
また板状体１の切欠部２は、この実施の形態の長方形状とする他、板状体１を斜めに切り欠いた直角二等辺三角形状に構成することができる。
【００１５】
熱媒は、例えば温水であり、この場合、熱媒循環用パイプ４は、例えば架橋ポリエチレン等の、耐圧、耐熱、耐久性に優れた材質のパイプを使用することができる。
【００１６】
さらに板状体１に熱媒循環用パイプ４を支持する構成は、上記のように溝５に熱媒循環用パイプ４を一面側から装着して支持する構成の他、板状体１内に埋め込んで支持する構成とすることもできる。
【００１７】
以上の構成において、上述したパネルユニットＵの複数を縦横に隣接させて、例えば図４に示すように配置すると、向かい合った夫々の切欠部２により正方形状の空間部が形成される。この配置においては、切欠部２ａ，２ａにより形成される空間部Ｓには熱媒循環用パイプ４の両側の端部４ｅ，４ｅが位置し、その他の切欠部２ｂ，２ｃ；２ｃ，２ｃにより形成される空間部Ｓ′には熱媒循環用パイプ４の端部４ｅは位置しない。
【００１８】
そこで、空間部Ｓにおいては、熱媒循環用パイプ４の両側の端部４ｅ，４ｅを、熱源装置に連なる熱媒往き管（図示省略）と熱媒還り管（図示省略）の先端側に構成した供給用部材６に接続して、夫々のパネルユニットＵの熱媒循環用パイプ４毎に熱媒を循環供給可能に構成することができる。熱媒循環用パイプ４の端部４ｅと供給用部材６との接続手段は、後述する熱媒循環用パイプ４の端部４ｅ間を接続する接続部材７と同様に、配管接続用の適宜の部材を利用することができる。
【００１９】
このようにして空間部Ｓにおいて必要な配管接続を行った後、この空間部Ｓと上記空間部のＳ′において、隣接のパネルユニットＵ間を接合して所定の広さの床暖房用パネルを構成することができる。
【００２０】
即ち、隣接のパネルユニットＵ間の接合は、向かい合った夫々の切欠部２の低段部３により空間部Ｓの周縁に形成される正方形状の低段部に、図３〜図５に示すように接合板８を嵌合して、釘等で板状体１に固定することにより行う。
即ち、このように接合板８を空間部Ｓの周縁に形成される正方形状の低段部３に嵌合して夫々のパネルユニットＵに固定すれば、接合板８は空間部Ｓ、Ｓ′を塞ぐと同時に隣接した２つのパネルユニットＵを接合することができ、こうして縦横に配置した複数のパネルユニットＵを接合することができる。
【００２１】
このように複数のパネルユニットＵを接合して所望の広さに構成する床暖房用パネルは、例えば図５に示すように夫々のパネルユニットＵに配置した支持脚９により床スラブ１０等から所定の高さに支持することができる。この際、支持脚９は、以上の施工に先んじて予め板状体１の所定位置に固定しておく一体構成としても良いし、施工時に所定位置に固定するような構成とすることができる。
そして以上のように構成した床暖房用パネルの上側に、例えばフローリング床等の仕上床材１１を積層して床を構成することができる。尚、この際、仕上床材１１と床暖房用パネル間にはアルミニウム箔等の熱伝導率の高い材質の層を構成して、熱媒循環用パイプ４からの熱を周囲に拡散することにより床の均熱化を計る等、本発明の床暖房用パネルを使用した床の具体的構成及びその構成方法は適宜である。
【００２２】
本発明では、上述したように接合板８を空間部Ｓ，Ｓ′の周囲の低段部３に嵌合して各パネルユニットＵに固定して夫々隣接した２つのパネルユニットＵを接合した状態では、各パネルユニットＵの上面と接合板の上面は同一平面状になるので、従来のように捨貼合板を積層せずに上記フローリング床等の仕上床材１１を積層することができる。
勿論、場合によっては捨貼合板を積層することもできる。
【００２３】
尚、以上のような接合方法を適用するために、溝５には図３に示すように低段部３に対応して傾斜部１２を形成しており、このため溝５に装着する熱媒循環用パイプ４の端部は傾斜部１２を経て接合板８の下側から空間部Ｓに至る構成としている。
【００２４】
次に、図６は本発明の床暖房用パネルの第２の実施の形態を模式的に示す平面図であり、その一部、即ち、隣接する４つのパネルユニットＵ（Ｕ１，Ｕ２，Ｕ３，Ｕ４）の部分のみを示す平面図である。
この実施の形態におけるパネルユニットＵは、熱媒循環用パイプ４の構成が上述した第１の実施の形態のものと異なり、他は同様であるので、相当する構成要素には同一の符号を付して詳細な説明は省略する。
即ち、この実施の形態では、熱媒循環用パイプ４は、夫々の切欠部２ａ，２ｂ，２ｃ，２ｄ間に夫々設けて４経路構成しており、夫々の経路の両側の端部４ｅを切欠部２ａ，２ｂ，２ｃ，２ｄに配置している。そして、４経路のうち、切欠部２ａ，２ｂ間及び切欠部２ａ，２ｄ間の熱媒循環用パイプ４は蛇行させて構成とし、他の熱媒循環用パイプ４は板状体１の隅に沿った構成としている。
【００２５】
以上の構成のパネルユニットＵを縦横に隣接させて配置し、向かい合った夫々の切欠部２により形成される正方形状の空間部Ｓにおいて、図に示すように自体の熱媒循環用パイプ４の端部４ｅ，４ｅ間及び隣接するパネルユニットＵの熱媒循環用パイプ４の端部４ｅとの間を接続部材７により接続すると共に、パネルユニットＵ２，Ｕ３の熱媒循環用パイプ４の端部４ｅ，４ｅを供給用部材６に接続して熱媒を循環供給可能に構成している。
この接続構成では、隣接する４つのパネルユニットＵ１，Ｕ２，Ｕ３，Ｕ４の熱媒循環用パイプ４は全て直列に熱媒が循環供給される。
【００２６】
以上の構成において、第１の実施の形態と同様に、空間部Ｓの周縁に形成される正方形状の低段部に接合板８を嵌合し、釘等で板状体１に固定することにより隣接するパネルユニットＵ間の接合を行うことができる。
【００２７】
このように、この第２の実施の形態では、隣接するパネルユニットＵの向かい合った切欠部２により構成される空間部Ｓの全てが、接合板８による隣接パネルユニットＵの接合と、熱媒循環用パイプ４の端部４ｅ，４ｅの接続に供される。尚、第１の実施の形態では、隣接するパネルユニットＵのうちの一つとの間に構成される空間部Ｓのみが、接合板８による隣接パネルユニットＵの接合と、熱媒循環用パイプ４の端部４ｅ，４ｅの接続に供され、他の空間部Ｓ′は、接合板８による隣接パネルユニットＵの接合にのみ供される。
【００２８】
次に図７は本発明の第３の実施の形態を示すもので、この実施の形態におけるパネルユニットＵは、切欠部の形状のみが第１の実施の形態のパネルユニットＵと異なる。従って、相当する構成要素には同一の符号を付して重複する説明は省略する。
即ち、この実施の形態におけるパネルユニットＵでは、切欠部２は、板状体１を斜めに切り欠いた直角二等辺三角形状に構成しており、このような切欠部２を向かい合わせると、図に示すようにパネルユニットＵの正方形状から９０度回転した正方形状の空間部Ｓ″が構成される。
【００２９】
次に、図８は本発明の第４の実施の形態を示すもので、この実施の形態におけるパネルユニットＵは、熱媒循環用パイプ４の経路の構成のみが第１、第２の実施の形態のものと異なる。従って、この実施の形態においても、相当する構成要素には同一の符号を付して重複する説明は省略する。
即ち、この実施の形態におけるパネルユニットＵでは、熱媒循環用パイプ４は、第１の実施の形態と同様に１経路のみ構成しているが、その端部４ｅは、異なる切欠部２ａ，２ｄに位置させていることが第１の実施の形態とは異なる。
【００３０】
尚、以上の実施の形態では、板状体１は全て正方形状に構成しているが、長方形状に構成することもできる。
【００３１】
【発明の効果】
本発明は以上のとおり、隣接したパネルユニットを、向かい合った辺の切欠部により形成される空間部の周囲に構成した低段部に接合板を嵌合して、これと夫々のパネルユニットとを固定するので、接合板は、空間部を塞ぐと同時に隣接したパネルユニットを接合することができると共に、各パネルユニットの上面と接合板の上面を同一平面上とすることができるので、捨貼合板を積層せずに仕上床板を積層することができる。
こうして本発明では、捨貼合板が必須ではなくなるので、これを設けない場合には、熱媒循環用パイプから仕上床板の上面までの伝熱距離が短くなり、十分な熱性能を得ることができると共にコストの低減を計ることができる。
【図面の簡単な説明】
【図１】  本発明を適用するパネルユニットの実施の形態を概念的に示す平面図である。
【図２】  図１のＡ−Ａ線断面図である。
【図３】  図１のＢ−Ｂ線矢視図である。
【図４】  図１のパネルユニットを複数縦横に隣接させて構成する床暖房用パネルの第１の実施の形態を模式的に示す平面図である。
【図５】  図４のＣ−Ｃ線拡大断面図である。
【図６】  パネルユニットを複数縦横に隣接させて構成する床暖房用パネルの第２の実施の形態を模式的に示す平面図である。
【図７】  パネルユニットを複数縦横に隣接させて構成する床暖房用パネルの第３の実施の形態を模式的に示す平面図である。
【図８】  本発明を適用するパネルユニットの他の実施の形態を概念的に示す平面図である。
【図９】  パネルユニットを複数縦横に隣接させて構成する床暖房用パネルの従来例を模式的に示す説明図である。
【図１０】  従来の床暖房用パネルを用いて構成した床の一例を示す断面図である。
【符号の説明】
１                                  板状体
２（２ａ，２ｂ，２ｃ，２ｄ）        切欠部
３                                  低段部
４                                  熱媒循環用パイプ
４ｅ                                端部
５                                  溝
６                                  供給用部材
７                                  接続部材
８                                  接合板
９                                  支持脚
１０                                床スラブ
１１                                仕上床材
１２                                傾斜部
【図１】
0003755703.tif 000002
【図２】
0003755703.tif 000003
【図３】
0003755703.tif 000004
【図４】
0003755703.tif 000005
【図５】
0003755703.tif 000006
【図６】
0003755703.tif 000007
【図７】
0003755703.tif 000008
【図８】
0003755703.tif 000009
【図９】
0003755703.tif 000010
【図１０】
0003755703.tif 000011